【手続補正書】
【提出日】平成24年11月15日(2012.11.15)
【手続補正１】
【補正対象書類名】特許請求の範囲
【補正対象項目名】全文
【補正方法】変更
【補正の内容】
【特許請求の範囲】
【請求項１】
電子機器と、前記電子機器に接続される外部記憶装置と、から成る設定情報管理システムであって、
前記電子機器は、
前記電子機器に関する設定情報を記憶する記憶部と、
前記電子機器の電源切断時に、前記記憶部に記憶している設定情報を、前記外部記憶装置に書き込む設定情報書込部と、
前記外部記憶装置に前記設定情報を書き込んだ後、前記記憶部の設定情報を消去する消去処理および前記記憶部の設定情報を予め定められた初期設定値に戻す初期化処理、のいずれかの処理を行う設定情報更新部と、
前記電子機器の電源投入時に、前記外部記憶装置から前記設定情報を読み取る設定情報読取部と、
読み取った前記設定情報に基づいて、前記電子機器の設定を行う設定部と、
前記設定部による設定後、前記外部記憶装置に記憶された設定情報を消去する設定情報消去部と、を備えたことを特徴とする設定情報管理システム。
【請求項２】
前記設定情報は、
前記電子機器を特定するために一意に割り当てられる固有情報を含み、
前記設定情報消去部は、
前記外部記憶装置に記憶された前記設定情報のうち、少なくとも前記固有情報を消去することを特徴とする請求項１に記載の設定情報管理システム。
【請求項３】
前記設定部は、
前記電子機器の前記記憶部に設定情報が記憶されていない場合、および前記記憶部に記憶された設定情報が初期設定値である場合のいずれか一方を条件として、前記外部記憶装置から読み取った前記設定情報を、前記電子機器の設定情報として設定することを特徴とする請求項１に記載の設定情報管理システム。
【請求項４】
前記電子機器は、
前記設定情報読取部により読み取った前記設定情報を、一時的に記憶する一時記憶部を、さらに備え、
前記設定部は、
前記一時記憶部に記憶された前記設定情報に基づいて、前記電子機器を設定することを特徴とする請求項１に記載の設定情報管理システム。
【請求項５】
前記設定情報消去部は、
前記設定部による設定後、前記外部記憶装置に対して、当該外部記憶装置に記憶した前記設定情報を消去するための消去指令を発行し、
前記外部記憶装置は、
前記設定情報消去部からの指令に基づいて、自身に記憶されている前記設定情報を消去することを特徴とする請求項１に記載の設定情報管理システム。
【請求項６】
前記電子機器は、
前記設定情報読取部により読み取った前記設定情報を、前記一時記憶部に記憶したことを示す一時記憶完了通知を、前記外部記憶装置に送信する一時記憶完了通知送信部を、さらに備え、
前記外部記憶装置は、
前記一時記憶完了通知の受信から所定時間内に前記消去指令を受信しなかった場合、自身に記憶されている前記設定情報を消去することを特徴とする請求項４に記載の設定情報管理システム。
【請求項７】
前記電子機器は、
前記消去指令の発行から所定時間経過後に、前記一時記憶部に記憶した前記設定情報の消去を行うことを特徴とする請求項５または６に記載の設定情報管理システム。
【請求項８】
外部メモリーと接続可能なプリンターであって、
前記プリンターに関する設定情報を記憶する記憶部と、
前記プリンターの電源切断時に、前記記憶部に記憶している設定情報を、前記外部メモリーに書き込む設定情報書込部と、
前記外部メモリーに前記設定情報を書き込んだ後、前記記憶部の設定情報を消去する消去処理および前記記憶部の設定情報を予め定められた初期設定値に戻す初期化処理、のいずれかの処理を行う設定情報更新部と、
前記プリンターの電源投入時に、前記外部メモリーから前記設定情報を読み取る設定情報読取部と、
読み取った前記設定情報に基づいて、前記プリンターの設定を行う設定部と、
前記設定部による設定後、前記外部メモリーに記憶された設定情報を消去する設定情報消去部と、を備えたことを特徴とするプリンター。
【請求項９】
前記設定情報は、
前記プリンターを特定するために一意に割り当てられる固有情報としてＩＰアドレスまたはプリンター名を含み、
前記設定情報消去部は、
前記外部メモリーに記憶された前記設定情報のうち、少なくとも前記固有情報を消去することを特徴とする請求項８に記載のプリンター。
【請求項１０】
外部記憶装置と接続可能で、自身に関する設定情報を記憶する記憶部を有する電子機器の制御方法であって、
前記電子機器の電源切断時に、前記記憶部に記憶している設定情報を、前記外部記憶装置に書き込む設定情報書込ステップと、
前記外部記憶装置に前記設定情報を書き込んだ後、前記記憶部の設定情報を消去する消去処理および前記記憶部の設定情報を予め定められた初期設定値に戻す初期化処理、のいずれかの処理を行う設定情報更新ステップと、
前記電子機器の電源投入時に、前記外部記憶装置から前記設定情報を読み取る設定情報読取ステップと、
読み取った前記設定情報に基づいて、前記電子機器の設定を行う設定ステップと、
前記設定ステップによる設定後、前記外部記憶装置に記憶された設定情報を消去する設定情報消去ステップと、を実行することを特徴とする電子機器の制御方法。
【請求項１１】
前記設定ステップは、
前記記憶部に設定情報が記憶されていない場合、および前記記憶部に記憶された設定情報が初期設定値である場合のいずれか一方を条件として、前記外部記憶装置から読み取った前記設定情報を、前記電子機器の設定情報として設定することを特徴とする請求項１０に記載の電子機器の制御方法。
【請求項１２】
前記設定情報消去ステップは、
前記設定ステップによる設定後、前記外部記憶装置に対して、当該外部記憶装置に記憶した前記設定情報を消去するための消去命令を発行し、
前記設定情報消去ステップからの指令に基づいて、前記外部記憶装置に記憶されている前記設定情報が消去されることを特徴とする請求項１０に記載の電子機器の制御方法。
【手続補正２】
【補正対象書類名】明細書
【補正対象項目名】発明の名称
【補正方法】変更
【補正の内容】
【発明の名称】設定情報管理システム、プリンターおよび電子機器の制御方法
【手続補正３】
【補正対象書類名】明細書
【補正対象項目名】０００１
【補正方法】変更
【補正の内容】
【０００１】
本発明は、電子機器に設定される各種設定情報を管理するための設定情報管理システム、プリンターおよび電子機器の制御方法に関するものである。
【手続補正４】
【補正対象書類名】明細書
【補正対象項目名】０００５
【補正方法】変更
【補正の内容】
【０００５】
本発明は、上記の問題に鑑み、外部記憶装置を用いて電子機器の設定を行う場合、複数の機器に同一の設定情報が設定されることを確実に防止することができる設定情報管理システム、プリンターおよび電子機器の制御方法を提供することを目的とする。
【手続補正５】
【補正対象書類名】明細書
【補正対象項目名】０００６
【補正方法】変更
【補正の内容】
【０００６】
本発明の設定情報管理システムは、電子機器と、前記電子機器に接続される外部記憶装置と、から成る設定情報管理システムであって、電子機器は、電子機器に関する設定情報を記憶する記憶部と、電子機器の電源切断時に、記憶部に記憶している設定情報を、外部記憶装置に書き込む設定情報書込部と、外部記憶装置に設定情報を書き込んだ後、記憶部の設定情報を消去する消去処理および記憶部の設定情報を予め定められた初期設定値に戻す初期化処理、のいずれかの処理を行う設定情報更新部と、電子機器の電源投入時に、外部記憶装置から設定情報を読み取る設定情報読取部と、読み取った設定情報に基づいて、電子機器の設定を行う設定部と、設定部による設定後、外部記憶装置に記憶された設定情報を消去する設定情報消去部と、を備えたことを特徴とする。
また、本発明のプリンターは、外部メモリーと接続可能なプリンターであって、プリンターに関する設定情報を記憶する記憶部と、プリンターの電源切断時に、記憶部に記憶している設定情報を、外部メモリーに書き込む設定情報書込部と、外部メモリーに設定情報を書き込んだ後、記憶部の設定情報を消去する消去処理および記憶部の設定情報を予め定められた初期設定値に戻す初期化処理、のいずれかの処理を行う設定情報更新部と、プリンターの電源投入時に、外部メモリーから設定情報を読み取る設定情報読取部と、読み取った設定情報に基づいて、プリンターの設定を行う設定部と、設定部による設定後、外部メモリーに記憶された設定情報を消去する設定情報消去部と、を備えたことを特徴とする。
【手続補正６】
【補正対象書類名】明細書
【補正対象項目名】０００７
【補正方法】変更
【補正の内容】
【０００７】
また、本発明の電子機器の制御方法は、外部記憶装置と接続可能で、自身に関する設定情報を記憶する記憶部を有する電子機器の制御方法であって、電子機器の電源切断時に、記憶部に記憶している設定情報を、外部記憶装置に書き込む設定情報書込ステップと、外部記憶装置に設定情報を書き込んだ後、記憶部の設定情報を消去する消去処理および記憶部の設定情報を予め定められた初期設定値に戻す初期化処理、のいずれかの処理を行う設定情報更新ステップと、電子機器の電源投入時に、外部記憶装置から設定情報を読み取る設定情報読取ステップと、読み取った設定情報に基づいて、電子機器の設定を行う設定ステップと、設定ステップによる設定後、外部記憶装置に記憶された設定情報を消去する設定情報消去ステップと、を実行することを特徴とする。
【手続補正７】
【補正対象書類名】明細書
【補正対象項目名】０００８
【補正方法】変更
【補正の内容】
【０００８】
また、本発明の設定情報管理システムにおいて、設定情報は、電子機器を特定するために一意に割り当てられる固有情報を含み、設定情報消去部は、外部記憶装置に記憶された設定情報のうち、少なくとも固有情報を消去することが好ましい。
また、本発明のプリンターにおいて、設定情報は、プリンターを特定するために一意に割り当てられる固有情報としてＩＰアドレスまたはプリンター名を含み、設定情報消去部は、外部メモリーに記憶された設定情報のうち、少なくとも固有情報を消去することが好ましい。
【手続補正８】
【補正対象書類名】明細書
【補正対象項目名】００１０
【補正方法】変更
【補正の内容】
【００１０】
本発明の設定情報管理システムにおいて、設定部は、電子機器の記憶部に設定情報が記憶されていない場合、および記憶部に記憶された設定情報が初期設定値である場合のいずれか一方を条件として、外部記憶装置から読み取った設定情報を、電子機器の設定情報として設定することが好ましい。
また、本発明の電子機器の制御方法において、設定ステップは、記憶部に設定情報が記憶されていない場合、および記憶部に記憶された設定情報が初期設定値である場合のいずれか一方を条件として、外部記憶装置から読み取った設定情報を、電子機器の設定情報として設定することが好ましい。
【手続補正９】
【補正対象書類名】明細書
【補正対象項目名】００１１
【補正方法】変更
【補正の内容】
【００１１】
これらの構成によれば、電子機器に設定情報がない場合および設定情報が初期設定値の場合にのみ、外部記憶装置の設定情報に基づいて復旧を行う。つまり、既に正しい設定がされている機器に、他の機器の設定情報が保存されている外部記憶装置が接続された場合であっても、設定情報を反映しない（設定を復旧しない）ようにすることができ、誤って正しい設定が改変されるといったことを防止することができる。なお、初期設定値は、電子機器の出荷時に、製造者によってＲＯＭなどに記憶されているものとする。
【手続補正１０】
【補正対象書類名】明細書
【補正対象項目名】００１４
【補正方法】変更
【補正の内容】
【００１４】
本発明の設定情報管理システムにおいて、設定情報消去部は、設定部による設定後、外部記憶装置に対して、当該外部記憶装置に記憶した設定情報を消去するための消去指令を発行し、外部記憶装置は、設定情報消去部からの指令に基づいて、自身に記憶されている設定情報を消去することが好ましい。
また、本発明の電子機器の制御方法において、設定情報消去ステップは、設定ステップによる設定後、外部記憶装置に対して、当該外部記憶装置に記憶した設定情報を消去するための消去命令を発行し、設定情報消去ステップからの指令に基づいて、外部記憶装置に記憶されている設定情報が消去されることが好ましい。
【手続補正１１】
【補正対象書類名】明細書
【補正対象項目名】００１５
【補正方法】変更
【補正の内容】
【００１５】
これらの構成によれば、電子機器で設定が完了した後に、確実に外部記憶装置に記憶された設定情報を消去することができる。
【手続補正１２】
【補正対象書類名】明細書
【補正対象項目名】００２１
【補正方法】変更
【補正の内容】
【００２１】
以下、添付の図面を参照して、本発明の一実施形態に係る設定情報管理システム、プリンターおよび電子機器の制御方法について説明する。なお、本実施形態では、設定情報管理システムを構成する電子機器として、プリンターを例に挙げて説明する。